【手続補正書】
【提出日】平成17年10月31日(2005.10.31)
【手続補正１】
【補正対象書類名】明細書
【補正対象項目名】特許請求の範囲
【補正方法】変更
【補正の内容】
【特許請求の範囲】
【請求項１】  上位装置と通信可能な印刷装置であって、
上位装置から通知された印刷データのアドレス情報に基づき上位装置に格納されている印刷データを読み出し印刷を実行させる制御手段を有することを特徴とする印刷装置。
【請求項２】  上位装置と通信を行う通信手段と、記録媒体に印刷を行う印刷手段とを有し、前記制御手段は、上位装置から前記通信手段を介して通知された印刷データのアドレス情報を含む情報ブロックのアドレスに基づき上位装置に格納されている印刷データを読み出し前記印刷手段で印刷を実行させることを特徴とする請求項１記載の印刷装置。
【請求項３】  前記制御手段は、前記印刷データに関する印刷が完了した旨及び印刷が完了したページ情報を前記通信手段を介して上位装置へステータスとして返送し、前記通信手段を介した印刷完了ステータスの受信に基づき上位装置では印刷が完了したページに関する印刷データをクリアし、次の印刷対象ページがある場合は次の印刷対象ページに関する印刷データを前記クリアした位置にロードすることを特徴とする請求項１又は２記載の印刷装置。
【請求項４】  前記通信手段を介した印刷完了ステータスの受信に基づき上位装置では印刷が完了したページに関する印刷データ以外の印刷データは保持することを特徴とする請求項１乃至３の何れかに記載の印刷装置。
【請求項５】  前記通信手段は、ＩＥＥＥ１３９４インタフェース規格に基づく通信を行うことを特徴とする請求項１乃至４の何れかに記載の印刷装置。
【請求項６】  互いに通信可能な印刷装置と上位装置を有する印刷システムであって、
前記上位装置は、印刷装置からアクセス可能で印刷データを格納する格納手段と、印刷データのアドレス情報を印刷装置に通知する上位側制御手段とを有し、
前記印刷装置は、上位装置から通知された印刷データのアドレス情報に基づき上位装置の前記格納手段に格納されている印刷データを読み出し印刷を実行させる印刷側制御手段を有することを特徴とする印刷システム。
【請求項７】  前記上位装置は、印刷装置と通信を行う上位側通信手段を有し、前記印刷装置は、上位装置と通信を行う印刷側通信手段と、記録媒体に印刷を行う印刷手段とを有し、前記印刷側制御手段は、上位装置から前記印刷側通信手段を介して通知された印刷データのアドレス情報を含む情報ブロックのアドレスに基づき上位装置の前記格納手段に格納されている印刷データを読み出し前記印刷手段で印刷を実行させることを特徴とする請求項６記載の印刷システム。
【請求項８】  前記印刷側制御手段は、前記印刷データに関する印刷が完了した旨及び印刷が完了したページ情報を前記印刷側通信手段を介して上位装置へステータスとして返送し、前記上位側制御手段は、前記上位側通信手段を介した印刷完了ステータスの受信に基づき印刷が完了したページに関する印刷データを前記格納手段からクリアし、次の印刷対象ページがある場合は次の印刷対象ページに関する印刷データを前記格納手段のクリアした位置にロードすることを特徴とする請求項６又は７記載の印刷システム。
【請求項９】  前記上位側制御手段は、前記上位側通信手段を介した印刷完了ステータスの受信に基づき印刷が完了したページに関する印刷データ以外の印刷データは前記格納手段に保持することを特徴とする請求項６乃至８の何れかに記載の印刷システム。
【請求項１０】  前記上位側通信手段及び前記印刷側通信手段は、ＩＥＥＥ１３９４インタフェース規格に基づく通信を行うことを特徴とする請求項６乃至９の何れかに記載の印刷システム。
【請求項１１】  前記上位装置にＩＥＥＥ１３９４インタフェースを介して前記印刷装置の他に画像入力装置、撮像装置、または記憶装置が接続可能であることを特徴とする請求項６乃至１０の何れかに記載の印刷システム。
【請求項１２】  互いに通信可能な印刷装置と上位装置を有する印刷システムに適用される印刷制御方法であって、
前記上位装置は、印刷装置からアクセス可能な格納手段に印刷データを格納する格納ステップと、印刷データのアドレス情報を印刷装置に通知する上位側制御ステップとを有し、
前記印刷装置は、上位装置から通知された印刷データのアドレス情報に基づき上位装置の前記格納手段に格納されている印刷データを読み出し印刷を実行させる印刷側制御ステップを有することを特徴とする印刷制御方法。
【請求項１３】  前記上位装置は、印刷装置と通信を行う上位側通信ステップを有し、前記印刷装置は、上位装置と通信を行う印刷側通信ステップと、記録媒体に印刷を行う印刷ステップとを有し、前記印刷側制御ステップでは、上位装置から前記印刷側通信ステップを介して通知された印刷データのアドレス情報を含む情報ブロックのアドレスに基づき上位装置の前記格納手段に格納されている印刷データを読み出し前記印刷ステップで印刷を実行させることを特徴とする請求項１２記載の印刷制御方法。
【請求項１４】  前記印刷側制御ステップでは、前記印刷データに関する印刷が完了した旨及び印刷が完了したページ情報を前記印刷側通信ステップを介して上位装置へステータスとして返送し、前記上位側制御ステップでは、前記上位側通信ステップを介した印刷完了ステータスの受信に基づき印刷が完了したページに関する印刷データを前記格納手段からクリアし、次の印刷対象ページがある場合は次の印刷対象ページに関する印刷データを前記格納手段のクリアした位置にロードすることを特徴とする請求項１２又は１３記載の印刷制御方法。
【請求項１５】  前記上位側制御ステップでは、前記上位側通信ステップを介した印刷完了ステータスの受信に基づき印刷が完了したページに関する印刷データ以外の印刷データは前記格納手段に保持することを特徴とする請求項１２乃至１４の何れかに記載の印刷制御方法。
【請求項１６】  前記上位側通信ステップ及び前記印刷側通信ステップでは、ＩＥＥＥ１３９４インタフェース規格に基づく通信を行うことを特徴とする請求項１２乃至１５の何れかに記載の印刷制御方法。
【請求項１７】  前記上位装置にＩＥＥＥ１３９４インタフェースを介して前記印刷装置の他に画像入力装置、撮像装置、または記憶装置が接続可能な印刷システムに適用可能であることを特徴とする請求項１２乃至１６の何れかに記載の印刷制御方法。
【請求項１８】  互いに通信可能な印刷装置と上位装置を有する印刷システムに適用される印刷制御方法を実行するプログラムを記憶したコンピュータにより読み出し可能な記憶媒体であって、
前記印刷制御方法は、印刷装置からアクセス可能な格納手段に印刷データを格納する格納ステップと、印刷データのアドレス情報を印刷装置に通知する上位側制御ステップと、上位装置から通知された印刷データのアドレス情報に基づき上位装置の前記格納手段に格納されている印刷データを読み出し印刷を実行させる印刷側制御ステップとを有することを特徴とする記憶媒体。
【請求項１９】  上位装置と通信可能な印刷装置であって、
前記上位装置のメモリにおける印刷データの位置に対応するアドレス情報を含む情報ブロックを前記上位装置から受信する受信手段と、
前記アドレス情報に従って前記上位装置のメモリから印刷データを読み出し、前記印刷装置のメモリにロードするロード手段と、
紙送りエラーが起きた場合に、前記アドレス情報に従って前記上位装置のメモリから印刷データを読み出し、紙送りエラーが起きたページに対応する印刷データを前記印刷装置のメモリに再ロードする再ロード手段とを有することを特徴とする印刷装置。
【請求項２０】  互いに通信可能な印刷装置と上位装置を有する印刷システムに適用される印刷制御方法であって、
前記上位装置が、印刷データを前記上位装置のメモリに格納するステップと、
前記上位装置が、前記印刷データに対応するアドレス情報を前記印刷装置に送信するステップと、
前記印刷装置が、前記アドレス情報を前記上位装置から受信するステップと、
前記印刷装置が、前記アドレス情報に従って前記上位装置のメモリから印刷データを読み出し、前記印刷装置のメモリにロードするステップと、
前記印刷装置が、紙送りエラーが起きた場合に、前記アドレス情報に従って前記上位装置のメモリから印刷データを読み出し、紙送りエラーが起きたページに対応する印刷データを前記印刷装置のメモリに再ロードするステップとを有することを特徴とする印刷制御方法。
【手続補正２】
【補正対象書類名】明細書
【補正対象項目名】００２４
【補正方法】変更
【補正の内容】
【００２４】
上記目的を達成するために、請求項１８記載の本発明は、互いに通信可能な印刷装置と上位装置を有する印刷システムに適用される印刷制御方法を実行するプログラムを記憶したコンピュータにより読み出し可能な記憶媒体であって、前記印刷制御方法は、印刷装置からアクセス可能な格納手段に印刷データを格納する格納ステップと、印刷データのアドレス情報を印刷装置に通知する上位側制御ステップと、上位装置から通知された印刷データのアドレス情報に基づき上位装置の前記格納手段に格納されている印刷データを読み出し印刷を実行させる印刷側制御ステップとを有することを特徴とする。
上記目的を達成するために、請求項１９記載の本発明は、上位装置と通信可能な印刷装置であって、前記上位装置のメモリにおける印刷データの位置に対応するアドレス情報を含む情報ブロックを前記上位装置から受信する受信手段と、前記アドレス情報に従って前記上位装置のメモリから印刷データを読み出し、前記印刷装置のメモリにロードするロード手段と、紙送りエラーが起きた場合に、前記アドレス情報に従って前記上位装置のメモリから印刷データを読み出し、紙送りエラーが起きたページに対応する印刷データを前記印刷装置のメモリに再ロードする再ロード手段とを有することを特徴とする。
上記目的を達成するために、請求項２０記載の本発明は、互いに通信可能な印刷装置と上位装置を有する印刷システムに適用される印刷制御方法であって、前記上位装置が、印刷データを前記上位装置のメモリに格納するステップと、前記上位装置が、前記印刷データに対応するアドレス情報を前記印刷装置に送信するステップと、前記印刷装置が、前記アドレス情報を前記上位装置から受信するステップと、前記印刷装置が、前記アドレス情報に従って前記上位装置のメモリから印刷データを読み出し、前記印刷装置のメモリにロードするステップと、前記印刷装置が、紙送りエラーが起きた場合に、前記アドレス情報に従って前記上位装置のメモリから印刷データを読み出し、紙送りエラーが起きたページに対応する印刷データを前記印刷装置のメモリに再ロードするステップとを有することを特徴とする。
【手続補正３】
【補正対象書類名】明細書
【補正対象項目名】０１２８
【補正方法】変更
【補正の内容】
【０１２８】
また、請求項１８記載の記憶媒体によれば、記憶媒体から印刷制御方法を読み出して印刷システムで実行することで、文章データを上位装置の格納手段に格納しておき、印刷装置で印刷を行う場合は印刷データを上位装置の格納手段から読み出して印刷するため、印刷装置側の受信バッファメモリの容量が非常に少なくて済む。また、印刷装置でジャムが発生した場合は、ジャムリカバリのための印刷データを印刷装置が上位装置の介在無しに直接上位装置の格納手段から読み出すことができるため、上位装置側の負担は非常に少ない。即ち、印刷装置側の受信バッファメモリの容量が非常に少なくて済み、且つ上位装置側の負担も非常に少ない高効率の印刷システムを実現できるという効果がある。
また、請求項１９記載の印刷装置及び請求項２０記載の印刷制御方法によれば、上位装置側の負担を非常に少なくできるという効果がある。